(57)【特許請求の範囲】
【請求項１】
正面に遊技台と貸玉手段を設け、棚板部に景品玉計数手段を具備し、内部に、供給用の上部タンクと回収用の下部タンクとから成るパチンコ玉貯留手段と、下部タンクに貯留したパチンコ玉を上部タンクに揚送する揚送手段とを設け、貸玉手段には貸玉計数機構が、上部タンクには補給玉計数機構が、遊技台にはアウト玉計数機構が、景品球計数手段には景品計数機構が備えられた単独設置型の遊技台ユニットに於いて、
パチンコ玉を玉貯留手段で貯留し、
且つ貯留したパチンコ玉を揚送手段により循環還流させて使用し得るように成し、
補給玉計数機構から計数排出された玉数と貸玉計数機構から計数排出した玉数とを入玉数として検出し、
アウト玉計数機構から計数排出された玉数と景品玉計数機から計数排出した玉数とを出玉数として検出し、
検出された入玉数と出玉数とから遊技台ユニット内の貯留玉数の管理が行える入出玉数管理手段を備えたことを特徴とするパチンコ遊技店に於ける単独設置可能な遊技台ユニット。
【発明の詳細な説明】
【技術分野】
【０００１】
本発明は、パチンコ遊技店に於いて遊技台を複数台列設して成る島に配設される各種樋（補給樋や回収樋や流送樋）と島構築（施工）を不要とし、個々の遊技台が単独設置型の構成により完全に独立し、且つ遊技台の長さ又は形態を可変自在にさせることが出来ると共に遊技台ユニット内でパチンコ玉が循環還流する構成とし、遊技者に対しより一層のサービス向上を計ったパチンコ遊技店に於ける単独設置可能な遊技台ユニットに関するものである。
【背景技術】
【０００２】
通常、パチンコ遊技店を開店するに当たっては、ホールの大きさ等を勘案して島構築を決定している。島構築（施工）は、島の長さがパチンコ遊技店によって異なるため現場で施工している。一般的に島構築は木材等をホールの島の長さに応じて切断し、釘やネジ等により縦横に接続して枠体（上横枠、中横枠、下横枠）を形成し、この枠体に化粧板の幕板を取り付けて完成させ、島構築した枠体に多種から選出した遊技台を列設し、枠体内部に補給樋や回収樋及び補給、回収計数機構（タンク）とパチンコ玉揚送装置等を備え、該パチンコ玉揚送装置により磨いたパチンコ玉を循環還流させるための流送樋を島同士間において橋渡し状に設置している。また、枠体外部には台表示ランプや台間に台間玉貸機を配設する。尚、台間玉貸機を設置した場合、投入した貨幣を回収する貨幣搬送装置等の設備品が必要となるが昨今カードによる台間玉貸機を配設した場合は、不要となるが新たにカードを発行させるカード発行機や通信機器等が必要となり、他に空気清浄機や照明設備、椅子などの設備を設置して島を構成し、さらに島端には両替機や景品玉計数機などを設置し、他に経営又は景品を管理するためのコンピュータ等を備えないと営業できなかった。
【０００３】
上記での島構築（施工）においては、熟練した多数の専門の技術作業者を必要とするが人手不足等により、島構築するまで時間がかかり、その結果施工でのコストアップを招く等の課題が指摘されていた。そこで、昨今では枠体を組立ユニット化して上記の課題を解消するようにしたものが開示されているが、数多くの課題は残されたままとなっていた。
【０００４】
【特許文献１】特開平５−６８７４５号公報
【発明の開示】
【発明が解決しようとする課題】
【０００５】
しかしながら、上記の枠体の組立ユニット化の提案により熟練した技術作業者の以外の人でも簡単に然も短期間で島構築ができるようになった反面、島には各種樋（補給樋や回収樋や流送樋）が配設されたままであった。この補給樋や回収樋や流送樋はパチンコ玉を店内で循環還流させる現状のシステムでは必要不可欠とされているが、この補給樋や回収樋や流送樋があることにより、以下の課題は今も解決されていなかった。
【０００６】
先ず、パチンコ玉を流動させる上において補給樋は島の長さ（設置する遊技台数）に応じて傾斜を付けるが、該傾斜は必然的に設置する遊技台数で制約されていた。例えば、一般的なホールの大きさでは片側１５台程度しか設置することが出来なかった。また、近郊外での広いホールにおいては特殊な設置により片側２０台程度まで設置することが出来るが、それ以上多くの設置は無理であった。つまり、ホール経営者としてはホールスペースを有効活用して一台でも多くの遊技台を設置することで売上げアップを計りたいが、現状のシステムでは対応が出来なかった。
【０００７】
また、流送樋が島同士間において橋渡し状に設置されているため、ホール内の遊技者にとっては威圧感を感じ、また、美麗又は装飾的に良い感じを与えず、美観上においても好ましくなく、ホール内のデザイン上においても欠点となっていた。そこで、近年において流送樋を設けず島内で循環還流させるシステム等も提案されているが、設備費が高額あり、遊技台は単独設置可能ではなく遊技台の長さを可変自在にさせることが出来ないものであった。
【０００８】
また、粗雑な施工により長年使用しているとパチンコ玉の重みにより流送樋が落下する事故や、これと関連する天井が落下する事故等が発生し、また、パチンコ玉は各種樋（補給樋や回収樋）内を転動していくため、パチンコ玉揚送装置で磨いて循環還流させいるにもかかわらずパチンコ玉の表面に塵埃が付着し、そのため遊技台の盤面が汚れる等の課題は未だ解決されていなかった。また、島内に各種樋（補給樋や回収樋）を配設するため施工時間が嵩み、施工費においては補給樋部材や回収樋部材等の設備品があるためコストアップとなっていた。また、パチンコ遊技店内においては、冷暖房装置を備えているため、季節によって補給樋に湿気が発生するためパチンコ玉が補給樋内で滞留する補給トラブルも生じていたためその対策として新たな設備投資をしなくてはならない等の上記した多くの課題は未解決のままであった。
【０００９】
また、前記公報に記載された装置は、パチンコ機稼動に付随する関連部品を枠内に内蔵装備したパチンコ機単独設置タイプの遊技装置としただけのものであり多くの課題が未解決のままであった。つまり、相互単独型パチンコ装置の連結部にて連結するのみであるため、島施工の際、重量のある機能単独型パチンコ装置を移動するための設置作業に大変な労力を要したり、遊技者にとって紙幣又はカードで貸出す貸玉機能がないため不便が生じたり、返却球計数装置が備えられているが、獲得した玉を一時貯留しておきながら継続遊技が出来なかったり、連続で大当たりした際の出玉の貯留管理などに課題があり、研磨装置があるものの充分に磨かれておらず、他の設備品（椅子や煙吸引装置）などにおいてもサービス低下のままであり、ホールでの不正防止対策まで行き届かなかったりしているためその課題を改善するように指摘されていた。
【００１０】
本発明は、上記した課題に鑑みて提案されたもので、異なるホールの広さに応じても即対応が出来るため、国内（遊技店）のみならず海外での設置も可能であり、然も専門の技術作業者を必要とせず少人数でも労力を要さず短期間のうちに島を完成させることが出来、ホール設備費を低減させ、ホールスペースを有効活用して一台でも多くの遊技台を設置することも出来るためホール経営者の要望を対処し、ホールのデザインにおいても優れ、補給樋や回収樋や流送樋等の各種樋類を配設せず、各種樋類で発生していた落下事故が防げると共に、各種樋類内を転動した際付着していた塵埃もなくなるような新規なパチンコ遊技店に於ける単独設置可能な遊技台ユニットを提供するものである。
【００１１】
本願発明の目的は、玉貯留手段と揚送手段により遊技台ユニット内で循環還流するためホールにおいては各種樋が不要となり、遊技台ユニットの下方部位に椅子が固定されているため、短期間で島が完成し専門の技術者を必要とせず島施工が出来、貸玉手段と景品玉計数手段により遊技者は貸玉から景品玉計数迄その場で行えるようにした。
【課題を解決するための手段】
【００１２】
前記目的を達成するため、本発明の請求項１に係る発明は、正面に遊技台と貸玉手段を設け、棚板部に景品玉計数手段を具備し、内部に、供給用の上部タンクと回収用の下部タンクとから成るパチンコ玉貯留手段と、下部タンクに貯留したパチンコ玉を上部タンクに揚送する揚送手段とを設け、貸玉手段には貸玉計数機構が、上部タンクには補給玉計数機構が、遊技台にはアウト玉計数機構が、景品球計数手段には景品計数機構が備えられた単独設置型の遊技台ユニットに於いて、パチンコ玉を玉貯留手段で貯留し、且つ貯留したパチンコ玉を揚送手段により循環還流させて使用し得るように成し、補給玉計数機構から計数排出された玉数と貸玉計数機構から計数排出した玉数とを入玉数として検出し、アウト玉計数機構から計数排出された玉数と景品玉計数機から計数排出した玉数とを出玉数として検出し、検出された入玉数と出玉数とから遊技台ユニット内の貯留玉数の管理が行える入出玉数管理手段を備えたことを特徴とするパチンコ遊技店に於ける単独設置可能な遊技台ユニットである。
【発明の効果】
【００１５】
本発明の構成においては、個々（単数又は隣り合う複数の遊技台ユニット）が独立の単独設置型の遊技台ユニットとしたため補給樋や回収樋や流送樋の各種樋類を島施工時に設ける必要がなくなる。そのため、ホール設備費を低減させ、ホールスペースを有効に活用することにより一台でも多くの遊技台ユニットを設置することが出来る。また、遊技台ユニットの設置においても遊技者に美麗又は装飾的によい感じを与え、外観上においてもデザインが優れている。また、ユニット内部の揚送手段により玉が磨かれて循環使用するため流送樋の落下事故を防げられ、各種樋類内で付着していた塵埃の問題がなくなる等の効果を有している。
【００１６】
本発明の構成においては、個々（単数又は隣り合う複数の遊技台ユニット）が独立した単独設置の遊技台ユニットの外部に遊技台と貸玉手段を設け、棚板部に景品玉計数手段を具備し、内部に玉貯留手段と揚送手段と紙幣類搬送手段等を具備しても、ユニット内部の狭い空間を活用して装備すること出来る。また、貸玉手段と景品玉計数手段と玉貯留手段により各遊技台ユニット内の貯留玉数の管理が行えるためホールにおける売上げ管理が正確に掌握出来る。また、貸玉手段と紙幣類搬送手段が連結した遊技台ユニット同士を接続することも出来る。さらに、貸玉手段と景品玉計数手段を設けたことにより遊技者は遊技開始から終了まで席を立つことがない。
【００１７】
本発明の構成においては、個々（単数又は隣り合う複数の遊技台ユニット）が独立した単独設置の遊技台ユニットから成り、個々の棚板部に遊技者が獲得したパチンコ玉を保有しておくことの出来る開閉シャッター付の第１プールタンクと第２プールタンクを有したことで景品玉箱の代用となり、ホールにおいて購入していた景品玉箱は購入しなくても済むようになり、設備費の低減となる。また、第１プールタンクから遊技台ユニットの玉受皿部に供給する第１還元機構と第２プールタンクから第１プールタンクに供給する第２還元機構が設けられているため、遊技者はプールタンク内のパチンコ玉を手でいちいち持ち上げて補充する手間がなくなり、遊技者に対して一層サービス向上となる。また、個々の遊技台ユニットの第１プールタンク内のシャッターの操作により、その場で即座に計数することが出来るのでわざわざ島端の景品玉計数機まで景品玉箱を持ち運ぶことがない。
【００１８】
本発明の構成においては、単数又は隣り合う複数の遊技台ユニットから成り左右隣り合うか又は表裏隣り合う表台ユニット同士の相対する部位に、両者を連結し得る連結手段が設けられているためホール経営者の要望に応じて任意の長さに可変自在に連結して設置固定することすることでより多くの遊技台ユニットを設置することが出来るようになる。
また、重量のある遊技台ユニットの施工時においての搬入は遊技台ユニットが移動手段により機列方向に沿ってスライド移動する構成のため、少人数でも労力を要さずに短期間のうちに島を完成させることが出来るので専門の技術作業者を必要としない。
【発明を実施するための最良の形態】
【００１９】
本発明の実施例を図面に基づいて説明するが、この実施例にのみ限定されるものではない。ここでの遊技説明については、パチンコ玉によるパチンコ遊技のものとするがメダルによるパチスロの遊技台ユニットとしてもよい。さらに遊技台ユニットの設置をここではパチンコ遊技店としたがゲームセンター等に設置してもよい。図１は本発明の遊技台ユニットの斜視図、図２は遊技台ユニットの背面斜視図、図３は遊技台ユニットの全体切欠側面図、図４は遊技台ユニットの連結を示す斜視図、図７は他の遊技台ユニットの斜視図、図７（ａ）は遊技台ユニットを連結して島状態にした斜視図、図７（ｂ）は遊技台ユニット他の連結状態の斜視図である。
【００２０】
図１又は図２に基いて詳細に説明する。本実施例の遊技台ユニット１の外部は、例えば成型品等から二分割した略Ｄ字直方体形状の外壁１０から成り、内部空間にはパチンコ台を構成する全ての要素（設備機器）が具備されている。また、図５のように上下、左右の開閉扉１０４ａと開閉扉１０４ｂと開閉扉１０４ｃが開放するように成っている。よって、内部機構の設備機器等にトラブルが生じた場合、修復作業がし易すく成っている。さらに、連結した遊技台ユニット１同士の背部は狭く修復作業しにくいが、図１１のように例えば台座７３付の遊技台ユニット１においては前後にスライドさせる２本のレール７５を設ければ前後にスライドさせてから修復作業することが出来る。尚、スライド時の固定はストッパー部材７６にて固定される。
【００２１】
先ず、内部空間の機構においては供給用の上部タンク２４と回収用の下部タンク２３とから成る玉貯留手段を具え、該下部タンク２３から上部タンク２４へ揚送する揚送手段の揚送装置２が立設されている。そして、パチンコ台１１に投入され排出するアウト玉と景品玉計数機３１で計数された後の景品玉は下部タンク２３内に回収され、揚送装置２により揚送し上部タンク２４からパチンコ台１１と玉貸機１８へ補給するようにして遊技台ユニット１内でパチンコ玉を循環還流させている。また、上部タンク２４からパチンコ台１１へは補給玉計数機構３を介し補給通路２５から補給され、また、パチンコ台１１から排出されるアウト玉はアウト玉計数機構３０を介し排出通路２６から下部タンク２３内に回収され、景品玉計数機３１で計数された景品玉も排出通路２６から下部タンク２３内に回収され、下部タンク２３内に貯留しているパチンコ玉は揚送装置２により上部タンク２４へと揚送し以後この循環還流を繰り返している。このようにしたため各種樋類（補給樋や回収樋等）が不要となり、今迄で生じていた落下事故も解消され、樋内を転動しなくなるためパチンコ玉に塵埃が付着しなくなる。
【００２２】
次に揚送装置２の作動は、上部タンク２４と下部タンク２３内にはそれぞれ貯留しているパチンコ玉の保有玉数を検出する検出器２３ａと検出器２４ａとの検出により作動させている。例えば検出器はタッチセンサーか光センサー等が取付けられている。つまり、上部タンク２４と下部タンク２３内での保有玉数に応じて揚送装置２を作動させることで上部又は下部タンク内の保有玉の平均化のバランスをとっている。尚、揚送のみしていると上部タンク２４内で満杯近くなって溢れ出てしまうがオーバーフロー通路２８が設けられているため上部タンク２４内の溢れ玉はオーバーフロー通路２８により下部タンク２３内に回収される。以上は上下タンク内の保有玉数の検出により揚送装置２を作動させたが、後述する揚送装置２に磨き機能を備えた場合は、汚れたパチンコ玉を磨くのを優先するため常時作動させて循環還流するようにしてもよい。
【００２３】
次に揚送装置２の機構について説明していく。図２又は図３に示す揚送装置２は、下部タンク２３の端部に短小長さの揚送筒部２０を立設し、該揚送筒部２０の上端部に揚送モータ２２が設けられ、揚送筒部２０内に螺旋体２１が挿入され、該螺旋体２１の上端部が前記揚送モータ２２の回転軸に取り付けられている。揚送モータ２２により螺旋体２１を回転させた時に螺旋体２１がパチンコ玉を揚送することが出来る方向に回転するように設定されている。ここでは、揚送筒部２０の下部開口部２０ａから下部タンク２３内に貯留していたパチンコ玉が螺旋体２１によって順次揚送筒部２０内を揚送していき上部開口部２０ｂから上部タンク２４内に排出される。尚、この揚送装置２は揚送するのみとしたが、例えば研磨粒（合成樹脂等）を採用した磨き作用の付加機能を設けて磨けば短小長さの揚送筒部２０でも充分に磨ける。また、背面の回収口１０５ａから汚れたパチンコ玉を取り出して洗浄した後補充するようにしてもよい（図１５参照）。尚、背面の１０５ｂは補充口で遊技台ユニット１内で玉不足が生じた緊急の場合等においてはここから補充する。
【００２４】
次に第１実施例の応用実施例の揚送装置２の機構について説明していく。図１３に示す揚送装置２は、磨き作用として磨き布ベルトを付加機能として設けたものである。下側の駆動ローラ４と巻取りローラ４３とが近接して設けられており、上側にも従動ローラ４０と巻取りローラ４３とが近接して設けられており、駆動ローラ４と従動ローラ４０との間にエンドレスベルトである磨き布ベルト４１が掛け渡され、上下の巻取りローラ４３間には磨き布ベルト４２が掛け渡されている。符号４４は磨き布ベルト４１のテンションローラである。そして、下部タンク２３に貯留したパチンコ玉が送り込まれて来ると下端湾曲部の整列レール４５からパチンコ玉が磨き布ベルト４１と布ベルト４２との間に挟れ磨かれながら上昇して、上部開口部から上部タンク２４内に排出される。即ち、この揚送装置２においては磨き布ベルトを採用した磨き作用により磨くものとしたため研磨粒（合成樹脂等）を使用せず手垢等の汚れが除去出来る。
【００２５】
次に第２実施例の応用実施例の揚送装置２の機構について説明していく。図１４に示す揚送装置２は、パチンコ台１１から排出されるアウト玉と景品玉計数機３１で計数された景品玉を下部タンク２３内に回収する前に磨くようにしたものである。景品玉計数機３１から排出したアウト玉と景品玉は駆動モータにより回動する回転ドラム４６内に入り、この回転ドラム４６の外周に複数欠切した長溝部４６ａからパチンコ玉の外周が出張り、屈曲した磨き布ベルト４１により擦れて磨いていく。そして、回転ドラム４６の回転に伴って横移動していき下部タンク２３内へ回収される。尚、長溝部４６ａの隙間はパチンコ玉より若干小さめと成している。該磨き布ベルト４１は駆動ローラ４と従動ローラ４０との間に屈曲状の磨き布ベルト４１が掛け渡され、駆動ローラ４側に巻回してあった磨き布ベルト４１は巻取りローラ４３により少しづつ巻取られていく。即ち、この揚送装置２においても磨き布ベルトを採用した磨き作用により磨くものとしたため研磨粒（合成樹脂等）を使用せず手垢等の汚れが除去出来る。さらに、巻取りローラ４３による巻取り量を自動化とすることも出来る。尚、いままで説明した揚送装置２や第１又は第２実施例の応用実施例の揚送装置２の機構に限定させるものでない。
【００２６】
次に外部空間の機構について順を追って説明していく。外部空間にもパチンコ台１１を構成する全て設備機器が具備されている。図１又は図６の遊技台ユニット１において、パチンコ台１１の向かって左側に貸玉手段の玉貸機１８が併設されている。該玉貸機１８の前面中央付近に貸玉供給管３２が隣接したパチンコ台１１の玉受皿部３３内に届くように設けられていて、投入口１８ａに投入された貨幣又はカードの正偽信号により直接パチンコ玉が供給されるように成っている。よって、遊技者は貸玉を手を使わずに移し替えられる。この貸玉供給管３２は回動自在に設けられていると共に上下動に折曲自在にも成っている。ここで、貸玉供給管３２が上下動に折曲自在としたのは貸玉が不要になると第１プールタンク２９ａから移し替える時に邪魔になるからである。尚、玉貸機１８がカードによるものであれば、貸玉は直接玉受皿部３３に貸出されるので貸玉供給管３２を設ける必要がなくなる時もある。そこで、遊技台ユニット１の玉貸機１８の投入口１８ａに貨幣（紙幣か硬貨）又はカードが投入されると、貨幣又はカードの正偽を識別する玉貸機内部の識別機１８ｂにより検出し、正偽であれば玉貸機内部の貸玉計数機構１８ｃを介して投入金額に応じた貸玉が貸玉供給管３２内を転動して直接玉受皿部３３内へと貸出されていく。
【００２７】
上記した玉貸機１８において、貨幣（例えば、千円紙幣貸玉排出タイプ）による玉貸機を設置した場合は図１又は図２７に示すように、玉貸機１８の投入口１８ａに投入した紙幣は背部に備えた紙幣類搬送装置１８３の搬送機構（基体ケース１８３ａと開閉ケース１８３ｂ）が駆動モータ１８３ｃにより駆動し挾持しながら島端まで搬送されていく。尚、背部の紙幣搬送装置１８３は端部のスライド自在の連結部材１８１により連結するように成している。つまり、一つの遊技台ユニット１に対して紙幣搬送装置１８３が備えられているのである。そして、遊技台ユニット１を連結していくと紙幣搬送装置１８３も連結部材１８１により連結される。尚、島端にリサイクル両替機を設置して回収した紙幣を再利用するようにしてもよい。また、上記では背部に紙幣類搬送装置１８３の搬送機構を備えたが、紙幣類搬送装置１８３により島端まで搬送せず背部の紙幣類回収装置１８４（スタッカー部）にて回収整列するようにしてもよい（図２８参照）。
【００２８】
次に景品玉計数手段について詳細に説明していく。遊技台ユニット１の前面下部の棚板部２９には景品玉計数手段が設けられていて、該景品玉計数手段は、獲得した景品玉を一時収納しておくことの出来るプールタンク機能と、その場で計数することの出来る景品玉計数機能と、後述するプールタンクから遊技台ユニットの玉受皿部に供給する還元機能と、景品玉の計数機構による計数結果をカード又はレシートに記録して発行する発行機能を備えている。先ず、プールタンク機能と景品玉計数機能と発行機能について説明していく。図１５に示すように、プールタンク機能は個々の棚板部２９に略矩形状の第１プールタンク２９ａを設けていて、棚板部２９の厚みが深さと成している。尚、第１プールタンク２９ａの深さはパチンコ玉が約３０００発収納出来る深さと幅と成っている。
【００２９】
次にプールタンク機能の構造は、図１７〜図１９に示すように、例えば第１プールタンク２９Ａ内の底が２重底の構造と成していて底から僅かの隙間の部位に開閉自在のシャッター２０１が設けられており、該シャッター２０１はスノコ状の２枚の板２０１ａを上下に重合したもので、一方のスノコ状の板２０１ａの端部には手動又は自動操作によるレバー２０２が取り付けられている。第１プールタンク２９ａ内の下側のタンクの底には排出口２０３ａが設けられており、この排出口２０３ａは景品玉計数機３１を経て排出通路２７に排出され下部タンク２３へといく。尚、下部タンク２３へ流した時には、景品玉計数機３１の複数個の玉整列検出センサー３１ａによりパチンコ玉の数量を計数することが出来、計数結果はカード発券機３５によりカード３５ａ又はレシート３５ｂに記録したいずれかのものが発行される。通常は、２枚のスノコ状の板２０１ａに隙間がないように成しているため、シャッター２０１が底と成り、第１プールタンク２９Ａに獲得したパチンコ玉を溜めて置くことが出来る。よって、景品玉箱の代用となる。そこで、遊技終了又は台移動する際は手動又は自動操作によるレバー２０２を操作すると、２枚のスノコ状の板２０１ａの隙間が一致していたシャッター２０１の板間に隙間が生じ、溜めて置いた第１プールタンク２９Ａ内のパチンコ玉はこのシャッター２０１の板間の隙間を通過して下側の排出口２０３ａから景品玉計数機３１を介して下部タンク２３へと落下していく。
【００３０】
次に第１プールタンク２９Ａから遊技台ユニット１の玉受皿部３３に供給する還元機能について説明する。この機能はパチンコ台１１の玉受皿部３３内のパチンコ玉が少なくなって補充する際、第１プールタンク２９Ａ内のパチンコ玉を手ではなく自動で持ち上げるようにしたものである。棚板部２９内の第１プールタンク２９Ａに隣接した部位にスプロケット機構２００（駆動モータ２００ｂの駆動により回転するスプロケット歯車）が設けられ、スプロケット機構２００からのパチンコ玉を持ち上げるリフト３４が玉受皿部３３に届く長さで立設されている。いままでは、遊技者が遊技していくにつれて玉受皿部３３内のパチンコ玉が少なくなると第１プールタンク２９Ａ内に溜めて置いたパチンコ玉を手でいちいち補充していたが、この還元機能により第１プールタンク２９Ａ内に溜めて置いたパチンコ玉は流出口２００ａからスプロケット機構２００を介してリフト３４より持ち上げて玉受皿部３３内に還元されるのである。
【００３１】
この還元機能は状況に応じて遊技者が操作ボタン２０３を操作（ＯＮ．ＯＦＦボタン）することにより行われる。よって遊技者は第１プールタンク２９Ａ内のパチンコ玉を手で持ち上げて玉受皿部３３に補充する手間がなくなり、遊技者に対して一層サービス向上となる。さらに、上記ではスプロケット機構２００を介してリフト３４により第１プールタンク２９ａに持ち上げていたが図２１又は図２２のようにスプロケット機構２００を介して別の玉通路２０４から玉貸機内１８に導き、切替部より貸玉供給管３２より玉受皿部３３内に供給することも出来る。この場合、突出していたリフト３４を設けなくてもよい。
【００３２】
次に連結手段と移動手段について詳細に説明していく。本実施例の遊技台ユニット１の連結手段は、例えば、図４に示すように遊技台ユニット１の左側面部に連結凸部１６を上下に複数（例えば２箇所）間隔をおいて設け、右側面部に前記連結突起部が嵌合する連結凹部１７も上下複数（例えば２箇所）間隔をおいて設けて、連結凸部１６と連結凹部１７を差込んで嵌合連結することによりパチンコ台１１同士が連結される。そして、パチンコ台１１同士を連結させた後は下記の島設置の移動手段により島が完成される。尚、連結凹部１７ａは紙幣類搬送装置１８３の連結部材１８１同士の連結の際使用するためのものである。尚、上記した連結凸部１６と連結凹部１７の連結手段に限定されるものではない。
【００３３】
本実施例の遊技台ユニット１を島に設置する際の移動手段は、例えば図１０に示すように遊技台ユニット１の背面部に連結鈎部１３を上下に２箇所間隔をおいて設け、ホール内に設置した島柱９２の両面に前記連結鈎部１３に掛合する連結鈎部９３も２箇所間隔をおいて設け、連結鈎部１３と連結鈎部９３を掛合させることにより、島端から遊技台ユニット１をスライドさせながら横移動させることが出来る。そして、ホールの島の長さに応じて遊技台ユニット１を可変自在に連結させることが出来、その結果、図７（ａ）に示すような状態の島が完成する。尚、上記した連結鈎部１３と連結鈎部９３の移動手段に限定されるものではない。
【００３４】
また、島端から遊技台ユニット１をスライドさせる際の移動手段として、遊技台ユニット１の底部に凹部９４ａを設け、ホールの床に一本又は二本の凸部９４ｂを設けたレール機構により横移動させるようにしてもよい。尚、凹部９４ａには滑り易くするために補助機能として滑車９６等が設けられている（図１２参照）。即ち、このレール機構に沿って遊技台ユニット１が横移動するだけなので専門の技術作業者を必要とせず、重量のある遊技台ユニット１でも労力も要さずに島施工が簡単で然も短期間で行える。さらに、遊技台ユニット１の底部に車輪１２等を設ければ、遊技台ユニット１の設置向きを可変自在に連結させた島も完成することが出来る（図７（ｂ）図参照）。この図７（ｂ）図の設置向きの遊技台ユニット１においては図２８のような紙幣類回収整列装置１８４とする。尚、上記した連結鈎部１３と連結鈎部９３やレール機構の移動手段に限定されるものではない。
【００３５】
上記した遊技台ユニット１の連結手段と遊技台ユニット１を島に設置する際の移動手段により図７（ａ）に示すような島が完成する。この島は全部が遊技台ユニット１により完成しているが、図８や図９のように全部をパチンコ台１１とせず他の設備ユニットを採用したものでもよい。例えば、ここでは両替機ユニット９としたがカード発行機ユニットや景品払出し機ユニット等を島中央に設置してもよい。さらに、他に自動販売機ユニット９１（タバコやジュース）を島中央に設置してもよい（図９参照）。尚、上記した各設備のユニットは先に説明したレール機構により島のどこにでも移動することが出来るため任意の位置に設置することが出来る。また、この自動販売機ユニット９１は貨幣でもよく、獲得したパチンコ玉（例えばタバコは５０発）でも購入出来るように成っている。尚、獲得したパチンコ玉で購入する時は玉計数部に投入し、希望する玉数をクリアした時点で購入できる。ここで投入したパチンコ玉は内部タンク９１ａで貯留され満杯においては取り出すこともできる。
【００３６】
次に入出玉数管理手段については図４１又は図４２に基づいて説明していく。本実施例の遊技台ユニット１は、単数又は隣合う複数の遊技台ユニット１から成り、遊技台ユニット１に併設した貸玉手段の貸玉計数機構と、遊技台ユニット１の循環還流路中の補給又は回収玉の計数機構と、景品玉計数手段の景品計数機構とこれらの計数機構からの計数結果に基づいて入出玉数を計数した入出玉数管理手段がホールの経営管理コンピュータに接続しているため、これによりホールでの各遊技台ユニット１の出玉管理と売上げ管理とが正確に行えるように成している。
【００３７】
次に第２実施例の遊技台ユニット１について詳細に説明していく。図２３〜図２６に示すように第２実施例の遊技台ユニット１は、今迄説明した遊技台ユニット１とは異なり新たに獲得玉保有手段を備えたものである。第１実施例の遊技台ユニット１においては棚板部２９に第１プールタンク２９Ａだけのものであったが、さらに第２実施例の遊技台ユニット１の棚板部２９には第２プールタンク２９Ｂが設けられている。
【００３８】
獲得玉保有手段は、第１プールタンク２９Ａが満杯に成った時の対応として使われる。つまり、第１プールタンク２９Ａでのパチンコ玉がまだ多く残して遊技継続していた時や連続で大当たりが生じた時は、景品玉計数機構３１により計数していたのでは間に合わないので、一時獲得玉保有手段の第２プールタンク２９Ｂ内で収納するようにしたものである。第１プールタンク２９Ａと第２プールタンク２９Ｂは排出路２９ｃにより接続している。尚、この第２プールタンク２９Ｂの深さは玉が約１５０００発収納出来る深さと幅と成っている。また、第２プールタンク２９Ｂ内に収納したパチンコ玉が外部から見えるように透明部材２９ｂとなっているため遊技者が保有玉数を確認することが出来る。また、透明部材２９ｂに玉箱の重ねた絵の表示（図２６では４箱表示）をしておけば、どの位の保有玉数（玉箱数）かも把握出来る。尚、第２プールタンク２９Ｂではパチンコ玉の保有はせず、収納した玉量を検出して絵の箱表示による照明のみとしてもよい。上記した獲得玉保有手段の第２プールタンク２９Ｂ内で収納したパチンコ玉は第２還元機能のリフト３７により第１プールタンク２９Ａ内へと還元される（図２５及び図２６）。第２プールタンク２９Ｂ内で収納していたパチンコ玉を計数する時は、リフト３７で第１プールタンク２９Ａ内に還元したあと景品玉計数機構３１により計数される。また、計数せず遊技を続ける時はシャッター２０１を閉鎖しておけばいい。尚、この第２還元機能の上記した第１還元機構と同様な機構なので説明は省略する。また、第２還元機能の操作も上記した操作ボタンにより行われる。
【００３９】
次に本発明の遊技台ユニット１の外部設備での付加機能について説明する。図２９においては、幕板表示機能について図示したものである。遊技台ユニット１の上部に表示装置９５と照明９７が設けられている。該表示装置９５の表示例としては大当たり時の「スタート」表示や打ち止め終了時の「打ち止め」表示や大当たり時の「何回目」回数表示等が表示され、また、景品玉計数機３１で計数した時の玉数表示「例えば３５１２」発と表示してもよく、切替表示スイッチにより内部機構の装置（揚送装置のモータ２２）の故障箇所等を表示することも出来る。さらに、大当たり時において表示装置９５が摺動機構９５ａを付加することにより前後に摺動して少し飛び出し、大当たりが終了すると元に戻るようにしてもよい（図３０（ａ）及び図３０（ｂ））。
【００４０】
次に遊技台ユニット１のパチンコ台１１の装着又は傾斜角度調整手段について説明する。図３１又は図３２において、ある周期でホール側はパチンコ台１１の入替えをするが、本発明の遊技台ユニット１はパチンコ台１１が収納する装着部に上下に２本のレール１０１が設けられていて、このレール１０１上にパチンコ台１１を載せて装着部内に押し込んでいくとパチンコ台１１が収納して入替えが終了する。よって、頻繁に入替えを行うホールでも短時間で入替え作業が済む。また、レール１０１にパチンコ台１１を載せて装着部内にある傾斜角度を調整してパチンコ台１１の上部を押し込む（押し込む量）とパチンコ台１１に傾斜角度が付くように成してネジ等で固定する。
【００４１】
図３３においては、遊技台ユニット１を個室７内に備えたものである。個室７は例えば上部を曲面状とし方形状から形成され、周囲は透明の可透壁７１と透明扉７０から構成されている。透明な個室７で周囲から隔絶され、他に煩わされることなく、精神を集中してプレイすることが出来る。さらに、個室７のため煙草の煙等の不快感を感じることもない。尚、個室７には冷暖房機能が備えられているため快適にプレイすることが出来る。
【００４２】
図３７においては、冷暖房機能について図示したものである遊技台ユニット１の上部又は下部に冷暖房吹き出し６０が設けられている。該冷暖房吹き出し６０は冷暖房装置とに接続していて、温度設定スイッチの操作により遊技者の好みの温度に設定調整した後、上部又は下部に冷暖房吹き出し６０から吹き出されるように成している。いままでは、ホールの天井には冷暖房装置が設置してあるが、遊技者が座る場所によっては常に吹き出し風があたるため長く座っていられなかった問題を解消している。また、冷暖房装置の吹き出しを遊技台ユニット１内に吹き出すことにより遊技台ユニット１内の湿気対策にも成る。
【００４３】
図３８においては、遊技者サービス設備機能について図示したものである遊技台ユニット１の側面にテレビ又はラジオと接続したイヤーホーン６３により聞けるようにしてもよい。また、店員を呼び出すための通信が行えるインターホーン６４を設けてもよい。また、棚板部２９に設けた可倒式又は引出式の補助板２９ｄにはジュース置きがあり、傘置き２９ｅも完備されているため遊技者に対してより親切な付属設備が設けられている。
【００４４】
次に遊技台ユニット１に取り付けた椅子機能について説明していく。図８のように各遊技台ユニット１の下方部位にはひとり掛けの椅子８が設けられている。該椅子８の一端は遊技台ユニット１の下方部位に固定し、他方は湾曲したパイプ８０の端部に椅子８が設けられている。つまり、遊技台ユニット１と一対に成っていて椅子８が床から浮いた状態の位置に設けられているため床掃除等の際邪魔にならない。また、この椅子８をふたり掛け用の椅子８としてもよい。
【００４５】
次に他の椅子機能について説明していく。図３４〜図３６においての椅子機能は、台座８１上に設けた椅子８であり遊技台ユニット１の下方部位の収納口８３内に台座８１が連結部８２を介して自動摺動機構により収納するように成していて、その収納は操作スイッチ８４により自動で行なわれる。つまり、遊技者が遊技する際は操作スイッチ８４を押すと収納していた椅子８が飛び出し、席を離れる時は操作スイッチ８４を押すと飛び出した椅子８が収納口８３内に収納するように作動する。尚、この収納動作は人偽センサーにより検出して行うようにしてもよい。例えば遊技台ユニット１の前面で人を検出した時点で椅子８が飛び出し、席を離れた時点で椅子８が収納するようにしてもよい。
【００４６】
図３７においての椅子機能は、遊技者に対して一層サービス向上を計ったものである。図２６のように、背もたれ部８ａにマッサージ機８５を設けたものでひじ掛け部８ｂの操作スイッチ８６により作動するように成している。また、両方にひじ掛けを設けたものであってもよい。通常、遊技者は開店時から閉店まで長時間にわたって座っているため疲れてしまうが上記した機能の椅子を備えたことで疲れることなく遊技に集中することが出来る。さらに、他の椅子機能は図３６のように折りたたみ式の背もたれやヘッドレストや足もたれ等を備えたものでもよい。さらに遊技台ユニット１の下方の湾曲部位には足入れ部８９が設けられていることで足が伸ばせられ、該足入れ部８９内に竹踏み部８７が備えられているため長時間座っていても疲れることなく遊技に集中することが出来る。
【００４７】
図３８においては、ホールに於ける不正防止機能について図示したものである。図おいては、遊技台ユニット１の上部に不正防止用の監視カメラ５等を設けたものである。また、図３８においては遊技台ユニット１のパチンコ台１１の上部にオートシャッター機構５０を備えたもので、例えば監視カメラ５において不正を検出するとオートシャッター機構５０によりパチンコ台１１の前面を遮断するようにしている。そのため不正が防止出来る。さらに、オートシャッター機構５０とせず、電磁波カーテン５２をパチンコ台１１の前面に設けて、磁石等による不正を防止するようにしてもよい（図３９参照）。
【００４８】
また、図３８においては、遊技台ユニット１の下部に一隅にこぼれ玉回収箱１０３が着脱自在に設けられていて、遊技中こぼれたパチンコ玉は傾斜板１０２に沿っていきこぼれ玉回収箱１０３に回収される。よって、こぼれたパチンコ玉も回収できるような細かな配慮までしている。
【００４９】
図４０においては、煙吸引機能について図示したものである遊技台ユニット１の両側部には煙吸引装置１４が設けられている。該煙吸引装置１４は吸引パイプ１５ａを介して集塵装置１５とに接続していて、煙草の煙を吸引するように成している。いままでは、ホールの天井に幾つか設置してあったが煙は充分に吸引除去されていなかったが、本発明の遊技台ユニット１においては個々の両側部に煙吸引装置１４が設けられているため、ホール内の換気がよくなる。
【００５０】
図４１は本発明の入出玉数管理手段を図示したブロック図である。各遊技台ユニット１の上部に備えた制御部のＣＰＵ１５０によって上部タンク２４と下部タンク２３内の保有玉量を検出している。また、補給玉計数機構３と貸玉計数機構１８ａから計数排出した入玉数とアウト玉計数機構３０と景品玉計数機３１から計数排出した出玉数も検出している。これらで検出したデータはホールコンピュータ１６０に送られホールの出玉又は売上げ管理に役立てられている。図４２は、ブロックダイヤグラムを表した図である。
【図面の簡単な説明】
【００５１】
【図１】本発明の遊技台ユニットの斜視図である。
【図２】遊技台ユニットの背面斜視図である。
【図３】遊技台ユニットの全体切欠側面図である。
【図４】遊技台ユニットの連結を示す斜視図である。
【図５】遊技台ユニットの開閉扉を開放した時の状態図である。
【図６】他の遊技台ユニットの斜視図である。
【図７ａ】遊技台ユニットを連結して島状態にした斜視図である。
【図７ｂ】遊技台ユニットを他の連結で島状態にした斜視図である。
【図８】島内に両替機ユニットを配設した時の島状態図である。
【図９】島内に自販機ユニットを配設した時の島状態図である。
【図１０】遊技台ユニットを島内に設置する時の状態図である。
【図１１】遊技台ユニットのレール機構の実施例である。
【図１２】遊技台ユニットのレール機構の補助機能の斜視図である。
【図１３】遊技台ユニット内の揚送装置の第１実施例である。
【図１４】遊技台ユニット内の揚送装置の第２実施例である。
【図１５】遊技台ユニット内部の景品玉計数機構を示す斜視図である。
【図１６】遊技台ユニット外部の棚板部を示す斜視図である。
【図１７】遊技台ユニット外部の棚板部を示す斜視図である。
【図１８】遊技台ユニット外部の棚板部の還元機能の作動状態斜視図である。
【図１９】遊技台ユニット外部の棚板部の還元機能の作動状態断面図である。
【図２０】遊技台ユニットの下部側切欠側面図である。
【図２１】遊技台ユニット外部の棚板部の還元機能の他の実施例図である。
【図２２】遊技台ユニット外部の棚板部の還元機能の他の実施例の作動状態図である。
【図２３】本発明の第２実施例の遊技台ユニットの斜視図である。
【図２４】本発明の第２実施例の遊技台ユニットの下部切欠断面図である。
【図２５】本発明の第２実施例の遊技台ユニットの下部側面断面図である。
【図２６】本発明の第２実施例の遊技台ユニットの斜視図である。
【図２７】遊技台ユニットと紙幣類搬送装置との連結状態図である。
【図２８】遊技台ユニットと紙幣類回収装置との連結状態図である。
【図２９】遊技台ユニットの外部の幕板表示部を示した状態図である。
【図３０ａ】遊技台ユニット外部の幕板表示部の状態斜視図である。
【図３０ｂ】遊技台ユニット外部の幕板表示部の作動状態図である。
【図３１】遊技台ユニットの装着又は傾斜角度調整時を示す状態斜視図である。
【図３２】遊技台ユニットの装着又は傾斜角度調整時を示す状態図である。
【図３３】個室内に設置した遊技台ユニットの斜視図である。
【図３４】遊技台ユニットの椅子機能を示す状態図である。
【図３５】椅子機能を示す作動状態図である。
【図３６】椅子機能を示す作動状態図である。
【図３７】遊技台ユニットの外部付加機能を示す状態斜視図である。
【図３８】遊技台ユニットの外部付加機能を示す状態斜視図である。
【図３９】遊技台ユニットの外部付加機能を示す状態側面図である。
【図４０】遊技台ユニットの外部付加機能を示す状態斜視図である。
【図４１】本発明の入出玉数管理手段を示すブロック図である。
【図４２】本発明のブロックダイヤグラムを表した図である。
【符号の説明】
【００５２】
１  遊技台ユニット
２  揚送装置
１１  パチンコ台
１８  玉貸機
２３  下部タンク
２４  上部タンク
２９  棚板部
２９Ａ  第１プールタンク
２９Ｂ  第２プールタンク
３１  景品玉計数機
【図１】
0004610541.tif 000002
【図２】
0004610541.tif 000003
【図３】
0004610541.tif 000004
【図４】
0004610541.tif 000005
【図５】
0004610541.tif 000006
【図６】
0004610541.tif 000007
【図７ａ】
0004610541.tif 000008
【図７ｂ】
0004610541.tif 000009
【図８】
0004610541.tif 000010
【図９】
0004610541.tif 000011
【図１０】
0004610541.tif 000012
【図１１】
0004610541.tif 000013
【図１２】
0004610541.tif 000014
【図１３】
0004610541.tif 000015
【図１４】
0004610541.tif 000016
【図１５】
0004610541.tif 000017
【図１６】
0004610541.tif 000018
【図１７】
0004610541.tif 000019
【図１８】
0004610541.tif 000020
【図１９】
0004610541.tif 000021
【図２０】
0004610541.tif 000022
【図２１】
0004610541.tif 000023
【図２２】
0004610541.tif 000024
【図２３】
0004610541.tif 000025
【図２４】
0004610541.tif 000026
【図２５】
0004610541.tif 000027
【図２６】
0004610541.tif 000028
【図２７】
0004610541.tif 000029
【図２８】
0004610541.tif 000030
【図２９】
0004610541.tif 000031
【図３０ａ】
0004610541.tif 000032
【図３０ｂ】
0004610541.tif 000033
【図３１】
0004610541.tif 000034
【図３２】
0004610541.tif 000035
【図３３】
0004610541.tif 000036
【図３４】
0004610541.tif 000037
【図３５】
0004610541.tif 000038
【図３６】
0004610541.tif 000039
【図３７】
0004610541.tif 000040
【図３８】
0004610541.tif 000041
【図３９】
0004610541.tif 000042
【図４０】
0004610541.tif 000043
【図４１】
0004610541.tif 000044
【図４２】
0004610541.tif 000045